(57)【要約】【課題】  筒状ラベル本体を構成するフィルムの内面に設けられた補助ラベルを、予め形成された窓から統一した形状及び位置で目視できるようにして、全体で一体感のあるデザインが得られると共に、店頭等でのいたずらを防止したり、不用意に剥がれたりするのを防止することを課題とする。【解決手段】  フィルム３を筒状に構成してなる筒状ラベル本体４を備える筒状ラベルにおいて、フィルム３には、任意形状の窓５が形成され、フィルム３の内面に、窓５よりも大きく設定されて窓５を介して目視できるように補助ラベル８が貼着され、補助ラベル８の周縁部分は、フィルム３に施した印刷により隠蔽されている構成。【選択図】  図１
2010047326.tif 000002
【特許請求の範囲】
【請求項１】
透明なプラスチックのフィルム（３）を筒状に構成してなる筒状ラベル本体（４）を備え、前記フィルム（３）には印刷が施されている筒状ラベルにおいて、前記フィルム（３）には、周縁部分が印刷により隠蔽されることによって任意形状に形成された窓（５）が設けられ、該窓（５）よりも大きく設定された補助ラベル（８）がフィルム（３）の内面に貼着され、前記補助ラベル（３）の周縁部分は前記窓（５）の周縁部分に施された印刷により隠蔽されて、窓（５）から補助ラベル（８）が目視できるようになっていることを特徴とする筒状ラベル。
【請求項２】
前記フィルム（３）が熱収縮性フィルムからなることを特徴とする請求項１記載の筒状ラベル。
【請求項３】
前記補助ラベル（８）は、ホログラム加工が施されたタックルラベルからなることを特徴とする請求項１又は２に記載の筒状ラベル。
【請求項４】
請求項１ないし請求項３の何れかに記載の筒状ラベルが容器本体（１０）に装着されていることを特徴とする筒状ラベル付き容器。
【発明の詳細な説明】
【技術分野】
【０００１】
この発明は、例えば内面側に窓から目視可能なデザイン等の表示が施された補助ラベルが貼着された筒状ラベル付容器及び筒状ラベルに関する。
【背景技術】
【０００２】
従来、お茶やジュース等の清涼飲料の容器として、内容物である清涼飲料等を充填するガラスやプラスチック製の容器本体に、商品名やデザイン、内容物に関する説明等の表示が印刷されたフィルムからなる筒状ラベルを嵌挿装着したものが公知である。前記飲料商品では、例えば販売促進のために、飲料商品の購入者が応募することにより、種々の景品が当たるといった景品キャンペーン等が頻繁に行われており、そのようなキャンペーンを行う場合には、図６（イ）に示すように応募シール（タックラベル）３０を前記フィルム３１の外面に貼付している。
【発明の概要】
【発明が解決しようとする課題】
【０００３】
応募シール等のタックラベル３０は、ラベラー又は作業者がフィルム３１に貼着しているのであるが、タックラベル３０を所定の位置に精度良く貼着するのは困難である。また、タックラベル３０の形状が星形等の多角形状のものや、キャラクター形状のものである場合に、タックラベル３０が不特定の方向に傾いたり、位置ずれしたりすると、商品価値が低下する。特に、タックラベル３０とフィルム３１の印刷表示３２との位置がずれると統一感がなく、何を意味する図柄なのか解らなくなるおそれがある（図６（ロ）及び（ハ）参照）。
【０００４】
また、応募シールとしてのタックラベルは、筒状ラベル本体を構成するフィルムの外面に貼着されていることから、店頭等でいたずらにより応募シールが剥がされてしまったり、また、商品の流通時の取扱いにより、タックラベルが擦れて不用意に剥がれてしまうおそれがある。
【０００５】
しかも、容器本体のリサイクルに際しては、容器本体から材質の相違する筒状ラベルを剥離して回収するのが好ましいが、ほとんどの購入者が回収の目的で筒状ラベルを容器本体から剥離するとは限らず、筒状ラベルが装着された状態で容器本体が回収されているのが現状である。
【０００６】
本発明は、筒状ラベル本体を構成するフィルムの内面に設けられた補助ラベルを、予め形成された窓から統一した形状及び位置で目視できるようにして、全体で一体感のあるデザインが得られると共に、店頭等でのいたずらを防止したり、不用意に剥がれたりするのを防止することを課題とする。
更に、補助ラベルを応募シール等のタックラベルとして使用することにより、購入者に筒状ラベルを積極的に分離させて容器本体の回収に寄与することを課題とする。
また、これまで加熱収縮作用による悪影響のためシュリンクラベルには適用することができなかったホログラムなどのデザインを使用したシュリンクラベルを提供することを課題とする。
【課題を解決するための手段】
【０００７】
本発明の筒状ラベルは、透明なプラスチックのフィルム３を筒状に構成してなる筒状ラベル本体４を備え、前記フィルム３には印刷が施されている筒状ラベルにおいて、前記フィルム３には、周縁部分が印刷により隠蔽されることによって任意形状に形成された窓５が設けられ、該窓５よりも大きく設定された補助ラベル８がフィルム３の内面に貼着され、前記補助ラベル３の周縁部分は前記窓５の周縁部分に施された印刷により隠蔽されて、窓５から補助ラベル８が目視できるようになっていることを特徴としている。
【０００８】
上記構成の筒状ラベルでは、補助ラベル８の、窓５から目視できる以外の部分は、フィルム３の印刷により隠蔽されるから、補助ラベル８をフィルム３に貼着しているにもかかわらず、補助ラベルの縁部分が目立ち難い。
ここで、窓とは、印刷が施された透明なフィルムに設けられた全く印刷することのない無印刷の状態の部分であることは無論、補助ラベルが目視できる程度に着色された半透明の状態の部分も含む。
【０００９】
本発明の筒状ラベルでは、前記フィルム３が熱収縮性フィルムからなることを特徴としている。
【００１０】
本発明の筒状ラベルでは、前記補助ラベル８は、ホログラム加工が施されたタックルラベルからなることを特徴としている。
この構成のように、補助ラベル８がホログラム加工を施されたタックラベルからなる場合には、これまでシュリンクラベルでは表現することが困難であった光沢のある高級感を得ることが可能となる。
【００１１】
また、補助ラベル８としては、ホログラムなどのデザインが施されたタックラベルを使用することが好ましいが、これに限定されるものではなく、これまでシュリンクラベルでは表現することが困難であったデザインをもつもの、例えば、転写箔、金属メタリック紙、ホイル紙、和紙、偏光パール印刷された紙またはフィルムなど、を単独または複数組み合わせたものであっても良い。
【００１２】
また、本発明は、上記何れかに記載の筒状ラベルが容器本体に装着されていることを特徴とする筒状ラベル付き容器である。
【発明の効果】
【００１３】
以上のように本発明の筒状ラベル本体を構成するフィルムには、任意形状の窓が形成され、しかも、前記フィルムの内面には、前記窓を介して目視できるように、補助ラベルが設けられているので、補助ラベルを窓と無関係の大きさに設定しても、また、補助ラベルが若干傾いて設けられても、補助ラベルを窓から統一した形状及び位置で目視でき、補助ラベルとフィルムの印刷とが一体感のあるデザインとすることができる。
【００１４】
また、補助ラベルはフィルムの内面に設けられることから、店頭等でのいたずらを防止したり、擦れて不用意に剥がれたりするのを防止できる。
更に、補助ラベルを応募シール等のタックラベルとして使用することにより、購入者に筒状ラベルを積極的に分離させて容器本体の回収に寄与することもできる利点がある。
【００１５】
さらに、加熱収縮作用による悪影響のためシュリンクラベルには適用することができなかったホログラム加工を、補助ラベルをタックラベルとしてタックラベルに施すことで、シュリンクラベルでは表現することが困難であった光沢のある高級感を得ることが可能となる。
【図面の簡単な説明】
【００１６】
【図１】本発明の一実施の形態を示す一部破断を含む筒状ラベルの斜視図。
【図２】（イ）は筒状ラベルの断面図、（ロ）及び（ハ）はタックラベルの断面図。
【図３】筒状ラベルが装着された容器の全体斜視図。
【図４】フィルムを巻き取ってなる長尺筒状体の製造工程を示す斜視図。
【図５】本発明の他の実施の形態を示し、（イ）は角形の容器を示す斜視図、（ロ）は円形の容器を示す斜視図。
【図６】（イ）〜（ハ）はタックラベルをフィルムに貼着した状態をそれぞれ示す正面図。
【発明を実施するための形態】
【００１７】
以下、本発明の一実施の形態について図面を参照して説明する。図１は、本発明に係る筒状ラベル１を示す。筒状ラベル１はフィルム３の両端部を接着することにより、筒状に形成してなるラベル本体４を備え、該筒状ラベル１は、図３に示す如く例えばポリエステル製で断面略矩形状（角形）の容器本体１０の任意の位置に装着される。本実施の形態では、筒状ラベル１は容器本体１０の胴部分の上部に装着されている。
【００１８】
前記フィルム３は、例えば透明性を有し、その一面（筒状ラベルの内側）には、例えば商品名やデザイン、内容物に関する説明やバーコード等を表示する特定印刷としてのラベル印刷層６が設けられている。筒状ラベル１としては、容器本体１０をリサイクルし易くするために、切断することで容器本体１０から簡単に外すことができるように、熱収縮性を有するシュリンクラベルや弾性伸縮性を有するストレッチラベル等の非接着性（接着剤を使用することなく容器本体に装着される）のフィルムが一般的に採用されている。尚、フィルムの破断を容易にするために、図３に示す如くミシン目９を設けるのが好ましい。
【００１９】
シュリンクラベル用のフィルム３としては、ポリエステル系樹脂、ポリスチレン系樹脂、ポリプロピレン系樹脂、ポリ塩化ビニル等からなる厚さ２０μｍ〜８０μｍの熱収縮性フィルムが使用される。
【００２０】
また、ストレッチラベル用のフィルム３としては、弾性伸縮性を有するポリエチレン系樹脂等からなるフィルムが使用される。
【００２１】
前記フィルム３の所定の位置には、窓５が単数または複数個形成されている。各窓５は無印刷により生じる透明な部分をいう。かかる窓５の形状は任意に設定されており、例えば、星形状の窓５ａや円形の窓５ｂ等が挙げられる。また、円形の窓５ｂ内には、文字等の表示７が適宜印刷されている。
【００２２】
前記フィルム３の内面には、各窓５を閉塞するように、補助ラベルとしてのタックラベル８が剥離可能に貼着されている。タックラベル８の大きさは、図１及び図２（イ）に示す如くそれぞれの窓５ａ，５ｂの大きさよりも大きく設定されている。また、タックラベル８は、窓５ａ，５ｂが星形状等の尖鋭のものや上下方向が定められているものであっても、窓５ａの形状とは無関係な円形や矩形状等の製造が極めて簡単な形状のものが採用されている。尚、窓５ａ，５ｂの周縁部分は印刷されていることから、タックラベル８は窓５ａ，５ｂに対応する部分のみが目視でき、タックラベル８の周縁部分は、フィルム３の印刷で隠蔽されている。
【００２３】
タックラベル８は、図２（ロ）に示す如く例えば厚さ１０μｍ〜１００μｍの透明のプラスチックフィルム（好ましくは耐熱性を有するポリエステルフィルム）１０と、該プラスチックフィルム１０の一面に設けられた透明の粘着剤層（例えば、弱粘着層）１１と、フィルムの他面に設けられた内側のホログラム加工面層１２及び外側の蒸着層１３とからなる。また、タックラベル８は、図２（ハ）に示す如く前記プラスチックフィルム１０の他面側にホログラム加工面層１２、蒸着層１３及び粘着剤層１１を順次設けても良い。
【００２４】
尚、タックラベル８を応募シールとする場合は、例えば蒸着層１３の表面に、「当り」または「ハズレ」等の表示や、応募点数「１点」〜「５点」等を印刷しておいて、購入者は「当り」又は「ハズレ」の表示や、応募点数「１点」〜「５点」等のように、所定の点数となるように複数枚のラベルをまとめて応募する場合のように、筒状ラベル１を剥離した後に、それぞれの表示を確認することができようにするのが好ましい。
【００２５】
ここで、「当り」または「ハズレ」等の表示や応募点数の印刷は、これらが容器外側からは見えないようにしておく必要があり、容器がＰＥＴボトルのように透明な容器である場合には、前記表示方法は容器の内容物がコーヒーやコーラーのような不透明なものである場合に適用される。前記内容物が透明又は半透明である場合には印刷層をシュリンクラベルと補助ラベルとの間に施す方法や剥離可能な二重ラベル等を選択することができる。
【００２６】
前記タックラベル８は、プラスチックフィルム１０及び粘着剤層１１を介してホログラム加工面１２ａを目視できるため、微細な凹凸パターン形状のホログラム加工面表面への入射光によって反射した反射光を互いに干渉させて、購入者の目に、装飾的色彩を帯びたホログラム画像として目視させるものである。
【００２７】
次に、上記筒状ラベルの製造方法について説明する。
先ず、広幅の透明フィルム３を長尺ロールから繰り出し、凸版輪転印刷またはスクリーン印刷、グラビア印刷等の公知の印刷機によって飲料等の商品表示等からなる所定の印刷を連続して印刷すると共に、フィルムの所定の位置に窓５を形成（無印刷部を残す）した後に、再びフィルム３を巻き取る。各窓５は印刷により形成されるため、傾いたり、ずれたりすることはなく確実な位置に形成することができる。また、前記広幅のフィルムを所定幅に切断（容器本体の周方向の所定長さに対応するように広幅の透明フィルムを複数条に切断）するのであるが、かかる切断に際しては、ロール状の透明フィルムを巻き戻してスリッターによってスリットし、その後ロール状に巻き取られる。
【００２８】
次に、図４に示す如く所定幅にスリットされたロール状のフィルムの長尺体１５からフィルム３を繰り出し、例えばラベラー（図示省略）にセットされたタックラベル８ａ，８ｂを、セパレータから順次剥離してフィルム３の内面側で且つ窓部分に順次貼着させる。かかるタックラベル８ａ，８ｂのフィルム３への貼着は、仮にタックラベルの貼着位置が窓に対して若干ずれたり、傾いたりしても、タックラベルは、窓の形状とは無関係で且つ大きく形成されていることから、従来公知のラベラーを使用して高速作業を行っても窓からはみ出すことはない。
【００２９】
前記ラベラーの下流位置には、接着剤ノズル２０が設けられており、この接着剤ノズル２０で、繰り出されるフィルム３の一方側端縁１５ａに接着剤を塗布し、両側端縁１５ａ，１５ｂを重ねて接着（接合）し、再び、長尺筒状体（ロール製品）１５ａとしてロール状に巻き取る。尚、同図に示す仮想線Ｌは、長尺状のフィルム３を各筒状のラベル１毎の長さに切断するための切断位置を示す。
【００３０】
次に、筒状ラベルを容器本体に装着する工程において、筒状ラベルがシュリンクラベルの場合は、シュリンクラベラーに前記ロール製品１５ａをセットし、ロール製品１５ａを偏平状態で繰り出し、前記切断線Ｌの位置をカッターで切断（分断）することにより単体の筒状ラベル１を形成すると共に、各ラベル１を開口させて、空又は内容物が充填された容器本体１０へ嵌挿し、その後、容器本体１０に嵌挿されたラベル１を、熱風やスチームヒーター等の加熱手段によって収縮させ装着することにより、ラベル付容器を製造する（図３参照）。
【００３１】
前記筒状ラベル１は、フィルム３に対するタックラベル８の面積は小さく、また、タックラベル８は弱粘着力でフィルム３に貼着されていることから、フィルム収縮時に、タックラベル８とフィルム３との間には、粘着剤を介して若干のずれを生じるため、タックラベル８のホログラム機能が悪影響を受けて低下することはない。キャンペーン用など剥離が必要な場合を除いて、フィルムの収縮による影響を受けない限り、強粘着性の粘着剤を採用することも可能である。
筒状ラベル１がストレッチラベルである場合には、ラベルを径方向に伸長させて拡開して容器本体に嵌挿し、弾性収縮力によって装着するため、加熱工程は不要である。従って、タックラベルのホログラム機能に影響はない。
【００３２】
以上のように、本実施の形態のタックラベル８ａ，８ｂは、ホログラム加工が施されていることから、容器が店頭で陳列された際に、タックラベルが光沢等を有し高級感が得られる。容器本体１０に装着された筒状ラベル１は、各タックラベルがラベルの裏側に位置するため、タックラベルが不用意に剥がされたり、搬送時や取扱時にタックラベルが擦れて剥がれてしまうこともない。
【００３３】
しかも、タックラベル８ａ，８ｂの窓５から目視できる以外の部分は、フィルム３の印刷層６で隠蔽されてしまうため、タックラベル８ａ，８ｂをフィルム３に貼着しているにもかかわらず、タックラベルの縁部分が目立ち難くなり、フィルム３の印刷層６に施された絵柄６ａとタックラベルとは一体感がある。よって、従来のシュリンクラベル等では困難であった複雑なデザイン、形状（即ち、ラベルの外面にタックラベルを貼着することでは表現することが難しいデザイン、例えば、ホログラム）を施すことができる。
【００３４】
そして、購入者は、筒状ラベル１を分断剥したり又は引き抜いたりして筒状ラベル１を容器本体１０から取り除いた後に、フィルム３の内面に施されたタックラベル８ａ，８ｂを剥離することができる。例えば、単数または複数枚のタックラベルをまとめて応募する場合に、それぞれのルールに基づいて応募等することが可能である。
【００３５】
このように、購入者は応募するために筒状ラベル１を容器本体１０から剥離して除去しなければならないため、容器本体を回収するに際して、容器本体１０と筒状ラベル１を分離させることに一役買える利点がある。
【００３６】
本発明は上記の実施の形態に限定されるものではなく、タックラベルはホログラム加工されているものに限らず、通常の印刷が施されたものであっても良い。
【００３７】
前記補助ラベルの形状、大きさ及び貼着位置は、任意に設定可能であり、例えば、図５（イ）に示す如く、熱収縮性を有するシュリンクフィルムからなる筒状ラベル１を容器本体１０の略全体（肩部分から胴部の下方にわたって）に設けた場合には、肩部分のみに、胴部分の上方位置又は下方位置に設けることも可能である。筒状ラベル１の収縮率の大きい肩部分には、小さなタックラベル８を貼着するのが好ましい。また、タックラベル８の面積が大きい場合には、弱粘着性の粘着剤を使用するのが好ましいが、フィルムの収縮による影響を受けない限り、強粘着性の粘着剤を採用することも可能である。
【００３８】
しかも、補助ラベルとしては、剥離して使用するタックラベル以外に、ホットメルト型接着剤やディレード型接着剤などの感熱接着剤を介してフィルムに接着した構成（感熱ラベル）であっても良い。
容器本体１０が丸ボトルである場合も同様に、図５（ロ）に示すように、筒状フィルム本体４の任意の部分にタックラベル８を設けることが可能である。また、容器本体１０の材質も特に限定されるものではなく、例えば、ペットボトル（ＰＥＴボトル）、ガラス瓶、金属缶、プラスチックカップ又は紙コップが挙げられる。
【００３９】
また、前記補助ラベルは、ホログラム加工が施されたタックラベルからなる場合には、これまでシュリンクラベルでは表現することが困難であった光沢のある高級感を得ることが可能となる。
【符号の説明】
【００４０】
１…筒状ラベル、３…フィルム、４…筒状ラベル本体、５…窓、８…タックラベル（補助ラベル）、１０…容器本体
【図１】
2010047326.tif 000003
【図２】
2010047326.tif 000004
【図３】
2010047326.tif 000005
【図４】
2010047326.tif 000006
【図５】
2010047326.tif 000007
【図６】
2010047326.tif 000008